(57)【要約】【課題】  ピストンスカートが減肉化されたピストンに適したピストンスカートの表面処理方法の提供【解決手段】  このピストンスカートの表面処理方法は、ピストン１０ａ、１０ｂを並べる方向Ａとは直行する方向に各ピストン１０ａ、１０ｂのピストンスカート１３を向け、かつ、ピストンヘッド１２を下にしピストンスカート１３を上に向けたピストン１０ａと、ピストンヘッド１２を上にしピストンスカート１３を下に向けたピストン１０ｂを、互いのピストンスカート１３を近接させて交互に並べてピストンスカート１３に表面処理を施すようにしたものである。【選択図】  図２
2006275166.tif 000002
【特許請求の範囲】
【請求項１】
ピストンピンを挿通する挿通方向両側を減肉し、ピストンヘッドの中央部からピストンスカートが垂下した略Ｔ字状の投影形状を備えたピストンのピストンスカート表面処理方法において、
ピストンを並べる方向とは直行する方向に各ピストンのピストンスカートを向け、かつ、ピストンヘッドを下にしピストンスカートを上に向けたピストンと、ピストンヘッドを上にしピストンスカートを下に向けたピストンを、互いのピストンスカートを近接させて交互に並べてピストンスカートに表面処理を施すようにしたピストンスカート表面処理方法。
【請求項２】
ピストンピンを挿通する挿通方向両側を減肉し、ピストンヘッドの中央部からピストンスカートが垂下した略Ｔ字状の投影形状を備えたピストンのピストンスカート表面処理装置において、
ピストンを並べる方向とは直行する方向に各ピストンのピストンスカートを向け、かつ、ピストンヘッドを下にしピストンスカートを上に向けたピストンと、ピストンヘッドを上にしピストンスカートを下に向けたピストンを、互いのピストンスカートを近接させて交互に並べて保持する載置治具を備えたピストンスカート表面処理装置。
【発明の詳細な説明】
【技術分野】
【０００１】
本発明はピストンスカート表面処理方法およびピストンスカート表面処理装置に関するものである。
【背景技術】
【０００２】
ピストンスカートは、サイドスラストなどにより耐摩耗性能に対する要求が大きい部位であり、例えば、特開２００３−３４０７２０に記載されているように、ショットピーニングや微粒子衝突（例えば微粒子ボンバーディング表面創製技術等）による表面硬さ向上や固体潤滑剤（二硫化モリブデン等）の膜形成（例えば、ＷＰＣ処理を用いた内燃機関ピストン摺動部への固体潤滑剤付与技術）による焼付き防止等の処理を施している。
【０００３】
また、特開２００４−２７９６５に記載されているように、ピストンの軽量化、内燃機関の燃費向上を図るため、ピストンスカートは減肉化されつつある。特に、ピストンピンが挿通される挿通方向の両側など大きなサイドスラストが掛からない部位を減肉化させることが行なわれている。
【特許文献１】特開２００３−３４０７２０、段落番号０００３
【特許文献２】特開２００４−２７９６５
【発明の開示】
【発明が解決しようとする課題】
【０００４】
ピストンスカートに二硫化モリブデンの粒子を打ち付けて付着させる装置は、例えば、図３に示すように、円周軌道を公転するようにピストン２１を搬送する搬送ライン２２と、搬送ライン２２の所定の加工位置において、ピストン２１を自転させる機構２３と、当該加工位置において円周軌道内側と外側にそれぞれ二硫化モリブデンの粒子を投射する投射ノズル２４ａ、２４ｂを備えている。そして、搬送ライン２２の加工位置でピストン２１を所定角度自転させながら、ノズル２４ａ、２４ｂで二硫化モリブデンの粒子を投射することにより、円筒状のピストンスカートの全外周面に満遍なく二硫化モリブデンを付着させている。
【０００５】
斯かる装置によれば、円周軌道を公転するようにピストン２１を搬送し、所定の加工位置でピストン２１を自転させるインデックス機構が必要であるため設備コストが高くなる。
【０００６】
また、ピストン２１を所定の加工位置に移動させるためのインデックス時間が必要であり、各ピストン２１に表面処理を行なうに当たり、所要の待ち時間が必要である。この場合、二硫化モリブデンなどの粒子を投射する投射装置は、インデックス待ち時間の間、粒子の投射を止めるため間欠的に粒子を投射することになる。粒子の投射を間欠的に行なうと、投射し始めた直後に粒子の投射量が不安定な時間が生じる場合があるため、ピストンスカートに粒子を投射する際に、投射が安定するのを待つ時間が必要である。
【課題を解決するための手段】
【０００７】
本発明は、ピストンスカートが減肉化されつつある実情を踏まえてピストンスカート表面処理方法を見直し、斯かる減肉化されたピストンに適したピストンスカート表面処理方法を提供するものである。
【０００８】
すなわち、本発明に係るピストンスカート表面処理方法は、ピストンピンを挿通する挿通方向両側を減肉し、ピストンヘッドの中央部からピストンスカートが垂下した略Ｔ字状の投影形状を備えたピストンのピストンスカート表面処理方法において、ピストンを並べる方向とは直行する方向に各ピストンのピストンスカートを向け、かつ、ピストンヘッドを下にしピストンスカートを上に向けたピストンと、ピストンヘッドを上にしピストンスカートを下に向けたピストンを、互いのピストンスカートを近接させて交互に並べてピストンスカートに表面処理を施すようにしたことを特徴としている。
【発明の効果】
【０００９】
このピストンスカート表面処理方法によれば、各ピストンのピストンスカートが近接して並んでいるので、例えば、ショットピーニングや、二硫化モリブデンの粒子を投射してピストンスカートの表面処理を行なう場合、インデックス時間を短縮できる。また、粒子を連続して投射することができ、間欠的に投射していたときのように粒子の流量（投射量）が不安定にならないので、間欠的に投射していたときに必要であった粒子の流量（投射量）が安定するまでの待ち時間も必要でなくなり、サイクルタイムの低減を図ることができ生産性を大幅に向上させることができる。
【発明を実施するための最良の形態】
【００１０】
以下、本発明の一実施形態に係るピストンスカート表面処理方法を図面に基づいて説明する。
【００１１】
この実施形態では、図１（ａ）〜（ｃ）に示すように、ピストンピンを挿通する挿通方向両側においてピストンスカートを減肉し、図１（ａ）に示すように、ピストンヘッド１２の中央部からピストンスカート１３が垂下した略Ｔ字状の投影形状を備えたピストン１０を用いている。ピストンスカート１３のピストンピン挿通方向両側の減肉部１１は図１（ａ）中の破線でハッチングをして示している。なお、図１（ｂ）（ｃ）中の１４は、ピストンピンを挿通するボス部であり、１５はリブである。
【００１２】
この実施形態に係るピストンスカート表面処理方法では、まず、図２に示すように、ピストン１０を並べる方向Ａとは直行する方向に各ピストン１０のピストンスカート１３を向け、かつ、ピストンヘッド１２を下にしピストンスカート１３を上に向けたピストン１０ａと、ピストンヘッド１２を上にしピストンスカート１３を下に向けたピストン１０ｂを、互いにピストンスカート１３が近接するように交互に連続させて並べる。ピストン１０ａ、１０ｂを並べる際は、図示は省略するが、例えば、各ピストン１０ａ、１０ｂを所定の設置位置に保持する専用の設置治具を用いてピストン１０ａ、１０ｂを設置するとよい。
【００１３】
このようにしてピストン１０ａ、１０ｂを並べた場合、図２に示すように、ピストン１０ａ、１０ｂは互いのピストンスカート１３が近接し、連続して平面を形成するように並んでいるので、例えば、投射装置（図示省略）と、ピストン１０ａ、１０ｂを相対的に水平移動させることにより、連続して、ピストンスカート１３に表面処理を施すことができる。
【００１４】
例えば、ショットピーニングや、二硫化モリブデンの粒子を投射してピストンスカート１３の表面処理を行なう場合、各ピストン１０ａ、１０ｂのピストンスカート１３が近接し、連続して平面を形成するように並んでいるので、インデックス時間が短縮でき、間欠的に投射することなく連続投射が可能であるから、投射不安定時間がなくなる。これにより、品質を保証しつつ、サイクルタイムの低減を図ることができる。これにより生産性を大幅に向上させることができる。
【００１５】
また、ピストン１０を上記の配置で保持する構成は、例えば、専用の設置治具を用いればよく、投射装置に対してピストン１０を直線若しくは緩やかな円弧など略直線状に移動させればよいので、従来のようにピストン１０を公転および自転させる機構を用いる必要がなく、設備コストを低く抑えることができる。
【００１６】
以上、本発明に係るピストンスカートの表面処理方法について一実施形態を例示したが、本発明のピストンスカートの表面処理方法は上記の実施形態に限定されるものではない。
【００１７】
特に、ピストンの形状、構造等は細部について上記の実施形態に限定されるものではない。
【図面の簡単な説明】
【００１８】
【図１】(ａ)は本発明の一実施形態で用いたピストンの正面図、（ｂ）はピストンの側面図、（ｃ）はピストンの底面図である。
【図２】本発明の一実施形態に係るピストンスカートの表面処理方法におけるピストンの設置状態を示す図である。
【図３】従来のピストンスカートの表面処理方法を示す図である。
【符号の説明】
【００１９】
１０、１０ａ、１０ｂ ピストン
１１   ピストンピン挿通方向両側の減肉部
１２   ピストンヘッド
１３   ピストンスカート
【図１】
2006275166.tif 000003
【図２】
2006275166.tif 000004
【図３】
2006275166.tif 000005